(57)【特許請求の範囲】
【請求項１】
階下外壁パネルと階上外壁パネルとの間の階間胴差部において、透湿防水シートが、その上縁側を胴差の上面に貼り付け、胴差の屋外側を垂れ下げられ、下縁側を、階下外壁パネルの上端のＬ字状の水切り板の垂直辺の屋外側の面部及び／又は水平辺の上面に貼り付けて備えられることで、階間胴差部が止水されており、かつ、
化粧板が、屋外側から、階上階下の外壁パネルの外壁面材に横目地なしで渡すように設置されて、階間部が隠されていることを特徴とする外壁構造。
【請求項２】
階上外壁パネルの外壁面材背面側の下地材が、胴差の上端面よりも下方に突出し、透湿防水シートが該下地材の背面側に沿うようにして胴差のウェブの屋外側を垂れ下げられて、透湿防水シートと階上外壁パネルとの間からの水の侵入が阻止されるようになされている請求項１に記載の外壁構造。
【発明の詳細な説明】
【０００１】
【発明の属する技術分野】
本発明は、外壁構造に関する。
【０００２】
【従来の技術及び課題】
例えば２階建て住宅などの建物において、外壁パネルを１階と２階に分けて設置する場合、外壁に横目地ができ、この横目地が、横方向において隣り合う外壁パネル間の縦目地と交差するため、この交差部を含む目地全体を、乾式にて、外観体裁良く止水状態に仕上げるのが非常に難しいという問題があった。
【０００３】
本発明は、上記のような問題点に鑑み、しっかりとした止水状態に外観体裁良く仕上げることができる外壁構造を提供することを課題とする。
【０００４】
【課題を解決するための手段】
上記の課題は、上下に外壁材が配設された外壁構造において、
上下の外壁材間が止水され、
化粧板が、屋外側から、上下の外壁材に横目地なしで渡すように設置されて、上下の外壁材間が隠されていることを特徴とする外壁構造によって解決される。
【０００５】
この外壁構造では、化粧板が屋外側から上下の外壁材に横目地なしで渡すように設置されて、上下の外壁材間が隠されているから、外壁をこの化粧板で外観体裁良く仕上げることができる。そして、上下の外壁材間は、いかような方法で止水しても、その部分は化粧板で隠されるから、止水構造それ自体の体裁の善し悪しに左右されることはなく、しっかりとした止水状態に仕上げることができる。
【０００６】
特に、階間を挟む上下に外壁材が配設された外壁構造において、
階上階下の外壁材間が止水され、
化粧板が、屋外側から、階上階下の外壁材に横目地なしで渡すように設置されて、階間部が隠されている外壁構造の場合は、外壁の階間部をしっかりとした止水状態に外観体裁良く仕上げることができる。
【０００７】
【発明の実施の形態】
次に、本発明の実施形態を図面に基づいて説明する。
【０００８】
図１乃至図４に示す第１実施形態の外壁構造において、２は１階外壁パネル、３は２階外壁パネル、１は胴差である。そして、４は止水のための透湿防水シート、８は化粧板である。
【０００９】
胴差１は、上下のフランジ１ａ，１ｂとこれらフランジ１ａ，１ｂをつなぐウェブ１ｃとを備えた屋内側開放の溝形鋼からなっている。
【００１０】
外壁パネル２，３はそれぞれ、外壁面材２ａ，３ａと、外壁面材２ａ，３ａの背面部に備えられた下地材２ｂ，３ｂと、下地材２ｂ，３ｂの更に背面側に備えられたパネルフレーム２ｃ，３ｃとで構成されている。下地材２ｂ，３ｂは、発泡ポリスチレンなどの発泡材などからなる。パネルフレーム２ｃ，３ｃは、鋼製のものなどからなり、例えば溝形鋼を内向きにして方形環状に組んだものなどが用いられる。
【００１１】
１階外壁パネル２は、そのフレーム２ｃが、その下端面を胴差１の下フランジ１ｂの下面に沿わせるようにして配置され、ボルト等の締結部材で胴差１に結合されており、また、１階外壁パネル２の下地材２ｂの上端は、外壁面材２ａ及びパネルフレーム２ｃの上端よりも上方に突出するように備えられ、下地材２ｂの上端が胴差１のウェブ１ｃの屋外側の面に沿って所定の高さ寸法立ち上がって配置されるようになっている。
【００１２】
また、２階外壁パネル３は、そのフレーム３ｃが、その下端面を胴差１の上フランジ１ａの上面に沿わせるように配置されてボルト等の締結部材で胴差１に結合されており、２階外壁パネル３の下地材３ｂの下端は、外壁面材３ａ及びパネルフレーム３ｃの下端よりも下方に突出するように備えられ、下地材３ｂの下端が胴差１のウェブ１ｃの屋外側の面に沿って所定の高さ寸法下がって配置されるようになっている。
【００１３】
そして、１階外壁パネル２の上端部において、外壁面材２ａと下地材２ｂの段差部分には、Ｌ字状の水切り板５が沿わされて取り付けられ、この水切り板５には、外壁面材２ａの屋外側の面に若干寸法だけ垂れ下がる垂下縁部５ａが備えられている。
【００１４】
透湿防水シート４は、巻回及び／又は折り畳み可能なシート材からなっていて、例えば、デュポン社製のタイベック（登録商標）等などが用いられる。この透湿防水シート４は、胴差１の上フランジ１ａの上面を上縁側の貼り代にして貼り付けられ、２階外壁パネル３の下地材３ｂの背面側に沿うようにして胴差１のウェブ１ｃの屋外側を垂れ下げられ、下縁側が水切り板５の垂直辺の屋外側の面及び／又は水平辺の上面に貼り付けられている。
【００１５】
なお、６は階間部断熱材であり、これは発泡ポリスチレンなどの発泡材からなり、透湿防水シート４と胴差１のウェブ１ｃとの間に介装されている。
【００１６】
また、７は押出ケイカル板などからなる化粧胴水切りであり、階間胴差部において、透湿防水シート４の外側に位置して備えられている。
【００１７】
そして、この化粧胴水切り７の外側に化粧板８が取り付けられている。この化粧板８は、屋外側から、１階外壁パネル２と２階外壁パネル３とに横目地なしで渡すように設置され、１階外壁パネル２の外壁面材２ａと化粧胴水切り７との間の横目地、及び、２階外壁パネル３の外壁面材３ａと化粧胴水切り７との間の横目地が、化粧板８で隠されている。なお、縦目地はガスケット等で乾式にて止水されている。
【００１８】
上記の外壁構造では、透湿防水シート４が、胴差１の上面と１階外壁パネル２の上端の水切り板５とに渡されて貼り付けられているので、胴差１の上端から、１階外壁パネル２の上端にわたる部分、即ち階間胴差部が、この透湿防水シート４でしっかりと止水される。なお、本実施形態では、２階外壁パネル３の下地材３ｂが同パネル３のフレーム３ｃの下端面より下方に突出し、胴差１の上端面よりも下方に突出していることで、透湿防水シート４と２階外壁パネル３との間からの水の侵入が確実に防がれる。
【００１９】
しかも、透湿防水シート４で止水し、その屋外側に化粧胴水切り５の備えられた階間胴差部を化粧板８で覆い、横目地を外から視認されないようにしているから、スッキリとした体裁良い外観を得ることができる。
【００２０】
図５乃至図７に示す第２実施形態の外壁構造では、透湿防水シートに替え、水切り鉄板１５を用いて、階間部を止水する構造としたものである。そして、押出ケイカル板などからなる化粧胴水切り８が、階間胴差部において、水切り鉄板１５の外側に位置して設置されている。この化粧胴水切り８は、本発明においていう化粧板を兼ねており、屋外側から、１階外壁パネル２と２階外壁パネル３とに横目地なしで渡すように設置され、その下縁部が１階外壁パネル２の外壁面材２ａの上縁部に外側から重なるようにされると共に、その上縁部が２階外壁パネル３の外壁面材３ａの下縁部に外側から重なるようにされている。なお、縦目地はガスケット等で乾式にて止水されている。
【００２１】
この外壁構造においても、１階、２階の外壁パネル２，３の間は、水切り金物である鉄板１５でしっかりとした止水状態を得られ、しかも、これら外壁パネル２，３間は、化粧板としての化粧胴水切り８で覆われ、横目地のないスッキリとした体裁良い外観が得られる。
【００２２】
以上に、本発明の実施形態を示したが、本発明はこれに限られるものではなく、発明思想を逸脱しない範囲で、各種の変更が可能である。例えば、上記の実施形態では、階上と階下の外壁パネル２，３間の止水構造として透湿防水シート４を用いたものと、水切り金物１５を用いたものとを示しているが、止水構造それ自体はこれらに限られるものではなく、各種構造の止水手段が用いられてよい。また、本発明は、階間部への適用に限らず、要は、上下の外壁材間の処理に広く用いることができるものである。更に、化粧板によって隠される部分には、第１実施形態のように横目地が存在していてもよいし、第２実施形態のように存在していないものであってもよいことはいうまでもない。また、縦目地の有無は問わない。
【００２３】
【発明の効果】
本発明は、以上のとおりのものであるから、外壁をしっかりとした止水状態に外観体裁良く仕上げることができる。
【図面の簡単な説明】
【図１】外壁構造の第１実施形態を示す断面斜視図である。
【図２】同断面図である。
【図３】同分解断面斜視図である。
【図４】透湿防水シートの設置部分を拡大して示す断面斜視図である。
【図５】外壁構造の第２実施形態を示す断面斜視図である。
【図６】同断面図である。
【図７】同分解断面斜視図である。
【符号の説明】
１…胴差
２…１階外壁パネル（階下外壁材）
３…２階外壁パネル（階上外壁材）
４…透湿防水シート
８…化粧板
１５…水切り鉄板
【図１】
0004658351.tif 000002
【図２】
0004658351.tif 000003
【図３】
0004658351.tif 000004
【図４】
0004658351.tif 000005
【図５】
0004658351.tif 000006
【図６】
0004658351.tif 000007
【図７】
0004658351.tif 000008